(57)【特許請求の範囲】
【請求項１】
マスク外皮と、
前記マスク外皮の内側に装着され、マスク枠収納部が形成されたマスク内皮と、
ドーム状に形成され、前記マスク内皮のマスク枠収納部に着脱可能に収納されるドーム状マスク枠とを有するマスクであって、
前記ドーム状マスク枠の天井部に形成された通気用の格子窓部と、前記マスク内皮の中央部の内面に装着された可撓性を有する舌片とを有し、
前記ドーム状マスク枠を前記マスク内皮のマスク枠収納部に収納して、前記舌片を前記格子窓部に挿入することを特徴とするマスク。
【請求項２】
前記舌片と前記格子窓部との係止は離脱可能であることを特徴とする請求項１記載のマスク。
【発明の詳細な説明】
【０００１】
【発明の属する技術分野】
本発明は、人間の口に装着するマスクに関し、特に軟質プラスチック製ドーム状マスク枠を有するマスクに関する。
【０００２】
【従来の技術】
矩形状のガーゼ綿布の両端を折り畳んでそれぞれにゴム紐を設けた一般的なマスクに、軟質プラスチック製のドーム状マスク枠を設けたマスクとして、特開平９−８４８９０号公報に開示されたものが知られている。このマスクは、フィルタを２つのドーム間に挟み、これを伸縮性カバーに装着し、さらにこのカバーをファスナーによりマスク外皮に装着したものである。
【０００３】
【発明が解決しようとする課題】
しかしながら、上記従来のマスクは、ドーム状マスク枠をマスク外皮に装着するために、ファスナーや伸縮性カバーが必要とされるので、コスト面でも、また製造作業性の面でも改善が求められていた。
【０００４】
本発明は、このような従来技術の問題点に鑑みてなされたものであり、簡易かつ廉価な手段でドーム状マスク枠を装着できるマスクを提供することを目的とする。
【０００５】
【課題を解決するための手段】
上記目的を達成するために、本発明によれば、マスク外皮と、前記マスク外皮の内側に装着されマスク枠収納部が形成されたマスク内皮と、ドーム状に形成され前記マスク内皮のドーム収納部に着脱可能に収納されるドーム状マスク枠とを有するマスクであって、
前記ドーム状マスク枠の天井部に形成された第１の係止部と、前記マスク内皮の中央部に形成された第２の係止部とが、前記ドーム状マスク枠を前記マスク内皮のマスク枠収納部に収納したときに当該マスク内皮を前記ドーム状マスク枠の天井部へ引き寄せるように着脱可能に係止することを特徴とするマスクが提供される。
【０００６】
前記第１の係止部は、前記ドーム状マスク枠に形成された通気用格子窓部であり、前記第２の係止部は、前記マスク内皮の内面に装着された可撓性を有する舌片であることがより好ましい。
【０００７】
【作用及び効果】
本発明のマスクでは、ドーム状マスク枠に形成された通気用格子窓部を利用して、この第１の係止部に、マスク内皮に装着された第２の係止部を係止するだけで、マスク内皮がドーム状マスク枠の天井部側へ引き寄せられ、その結果、人間の鼻の穴及び口の前面に空間が形成されることになる。
【０００８】
この空間の存在により、たとえば吐息がマスク内皮に結露することが防止されることになる。こうしたマスクは、ファスナーや伸縮性カバーを必要とせず、内皮に舌片などの第２の係止部を設けるだけで構成できるので、コスト的にも有利なマスクを提供することができる。さらに、第１の係止部と第２の係止部との係止は離脱ができるので、ドーム状マスク枠を取り外してマスク外皮及びマスク内皮を洗濯することもできる。
【０００９】
【発明の実施の形態】
以下、本発明の実施形態を図面に基づいて説明する。
図１は本発明に係るマスク外皮及びマスク内皮の実施形態を示す斜視図、図２は本発明に係るドーム状マスク枠の実施形態を示す斜視図、図３は図２のIII-III線に沿う断面図、図４は図１に示すマスク外皮及びマスク内皮を製作する手順を説明するための分解斜視図、図５は図２に示すドーム状マスク枠と図１に示すマスク内皮の舌片とを係止する手順を説明するための斜視図、図６は図２に示すドーム状マスクと図１に示すマスク内皮とが係止した状態を示す断面図、図７は本発明のマスクを装着した状態を示す断面図である。
【００１０】
本実施形態のマスクは、図１に示すように人間の口に装着したときに外側に位置することとなるマスク外皮１を有する。このマスク外皮１は、人間の口を覆うのに適切な大きさとなるようにガーゼなどの綿布を折り畳んで矩形状とされ、その両端をそれぞれ折り返して袋状に縫製することで、耳に引っかけるためのゴム紐４が装着される。具体的には、図４に示されるようにまず１枚のガーゼ１ａの長辺をそれぞれ折り返すことで２重のガーゼ１ｂを形成し、さらにこのガーゼ１ｂを２つ折りすることで４重に重なったマスク外皮１が用いられている。この４重のマスクガーゼ１に対し、図６に示すようにその両端にゴム紐４をそれぞれ載置し、その両端１ｃを折り返して、後述するマスク内皮の両端とともに縫製することでゴム紐４が袋部内へ挿通されるとともに、マスク内皮２の両端がマスク外皮１に装着される。
【００１１】
本実施形態のマスクは、図１に示すように人間の口に装着したときに内側、すなわち人間の口側に位置することとなるマスク内皮２を有する。このマスク内皮２も、人間の口を覆うのに適切な大きさとなるようにガーゼなどの綿布を折り畳んで矩形状とされている。本例では、図１に示すようにマスク外皮１に比べてやや小さめに形成されている。このマスク内皮２の中央部には、可撓性を有するプラスチック製舌片２１が熱融着により固定されている。本例の舌片２１は円形の薄板状とされ、後述するドーム状マスク枠３の格子状窓３１の開口幅Ｄ（図８参照）よりやや大きい直径Ｒとされている。
【００１２】
マスク内皮２は、図５に示すように１枚のガーゼ２ａの長辺をそれぞれ折り畳むことで形成されるが、折り畳まれたガーゼの各端縁２ｂを寸法Ｌだけ離して折り畳まれている。これにより、このマスク内皮２をマスク外皮１に縫製して組み付けると、折り畳まれた部分がドーム状マスク枠３を収納するマスク枠収納部２２となり、寸法Ｌだけ離れた部分が、マスク枠収納部２２へマスク枠３を収納する際の開口部となる。つまり、マスク枠収納部２２はマスク枠の上下部分を包み込むことで当該マスク枠３をマスク外皮１とマスク内皮２との間に挟持する。
【００１３】
本実施形態のマスクは、図２に示すドーム状マスク枠３を有する。このマスク枠３は、軟質プラスチックにより形成され、図３に断面で示すようにマスクを人間の口に装着したときに、マスク枠３が鼻から顎にかけて装着され、かつ鼻の孔及び口の前面に空間が形成されるようにドーム状に形成されている。またマスク枠３は、その周囲が口の周囲にほぼ当接するので、通気性を確保するために天井部３２に格子状の窓部３１が形成されている。なお、図２において符号３３はマスク枠３をマスク内皮２に収納する際に当該マスク枠３の天地を識別するための矢印である。
【００１４】
本実施形態のマスクは、マスク外皮１を図４に示すように形成し、マスク内皮２を図５に示すように形成し、さらにこのマスク外皮１に対して、マスク内皮２とゴム紐４とを図６に示すように組み付けて縫製する。これにより、図１に示すようなマスクが得られる。同図に示すマスクは、マスク外皮１とマスク内皮２との間にマスク枠３を挿入できる隙間が形成されているので、この隙間からマスク枠３を挿入して、当該マスク枠３の上下をマスク内皮２の折り返しで形成されたマスク枠収納部２２へ入れ込む。
【００１５】
マスク枠３をマスク内皮２のマスク枠収納部２２へ収納したら、図７に示すようにマスク内皮２の内面に熱融着された可撓性を有する舌片２１を、マスク枠３の通気用格子状窓部３１に指で押し込む。舌片２１の直径Ｒは格子状窓部３１の幅Ｄよりも大きいが、可撓性を有するので容易に押し込むことができる一方、押し込んだのちは、舌片２１の周囲が格子状窓部の上下の格子に引っかかることになる。これにより、図９に示すようにマスク内皮２の中央部はマスク枠３方向へ引っ張られ、ここにマスク枠３のドーム形状にほぼ等しい大きな空間Ｓが形成されることになる。
【００１６】
この空間の存在により、たとえば寒い日に吐息がマスク内皮２に結露するのが防止できる。また本実施形態のマスクは、ファスナーや伸縮性カバーを必要とせず、マスク内皮２に舌片２１を設けるだけで構成できるので、コスト的にも有利なマスクを提供することができる。
【００１７】
さらに、舌片２１と格子窓部３１との係止は離脱ができるので、ドーム状マスク枠３を取り外してマスク外皮１及びマスク内皮２を洗濯することもできる。
【００１８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】本発明に係るマスク外皮及びマスク内皮の実施形態を示す斜視図である。
【図２】本発明に係るドーム状マスク枠の実施形態を示す斜視図である。
【図３】図２のIII-III線に沿う断面図である。
【図４】図１に示すマスク外皮を製作する手順を説明するための分解斜視図である。
【図５】図１に示すマスク内皮を製作する手順を説明するための分解斜視図である。
【図６】図１に示すマスク外皮及びマスク内皮を製作する手順を説明するための分解斜視図である。
【図７】図２に示すドーム状マスク枠と図１に示すマスク内皮の舌片とを係止する手順を説明するための斜視図である。
【図８】図２に示すドーム状マスクと図１に示すマスク内皮とが係止した状態を示す断面図である。
【図９】本発明のマスクを装着した状態を示す断面図である。
【符号の説明】
１…マスク外皮
２…マスク内皮
２１…舌片（第２の係止部）
３…ドーム状マスク枠
３１…格子窓部（第１の係止部）
【図１】
0003731138.tif 000002
【図２】
0003731138.tif 000003
【図３】
0003731138.tif 000004
【図４】
0003731138.tif 000005
【図５】
0003731138.tif 000006
【図６】
0003731138.tif 000007
【図７】
0003731138.tif 000008
【図８】
0003731138.tif 000009
【図９】
0003731138.tif 000010